(57)【要約】【課題】容易に筐体内部に組み付けることができ、防水パッキンの反力によって、前記防水パッキンを押し付ける部材の変形や破損するのを抑制することができ、長期にわたってボタンの隙間より筐体内部に水が浸入するのを抑制する。【解決手段】電子機器の筐体１の内部より外部に貫通した貫通孔１２２を備えた支持枠部１２１と、少なくとも先端部が筐体１の外部に突出し、貫通孔１２２に摺動可能に配置された面押しボタン３と、貫通孔１２２の内部側を覆うように配置された防水パッキン４とを有し、防水パッキン４が、平面部４１の周縁部より突出された枠状の壁体であり凹溝１２４に圧入された水密壁４２を備えている。【選択図】図３
2009289639.tif 000002
【特許請求の範囲】
【請求項１】
電子機器の筐体の内側面に形成され、前記筐体の内部より外部に貫通した貫通孔を備えた支持枠部と、
少なくとも先端部が筐体の外部に突出し、前記貫通孔に摺動可能に配置された面押しボタンと、
前記貫通孔の内部側を覆うように配置された防水パッキンとを有し、前記面押しボタンが内部側に摺動されることで配線基板に実装されたスイッチが押される防水ボタンスイッチであって、
前記支持枠部は内部側に前記貫通孔の内部側の周囲を連続して囲む凹溝を有しており、
前記防水パッキンが、平面部と、前記平面部の周縁部より突出された枠状の壁体であり前記凹溝に圧入された水密壁を備えていることを特徴とする防水ボタンスイッチ。
【請求項２】
前記水密壁は前記凹溝の幅よりも大きな幅を有する壁体である請求項１に記載の防水ボタンスイッチ。
【請求項３】
前記防水パッキンは前記平面部の前記水密壁の突出と反対側の面の中央より突出した前記スイッチを押すためのスイッチ押下部を有している請求項１又は請求項２に記載の防水ボタンスイッチ。
【請求項４】
前記防水パッキンは前記平面部の前記水密壁の突出と反対側の面の辺縁部より突出し、前記配線基板と接触する押え壁を有している請求項１から請求項３のいずれかに記載の防水ボタンスイッチ。
【発明の詳細な説明】
【技術分野】
【０００１】
本発明は、電子機器の外面に露出した面押しボタンの隙間から水が浸入するのを防ぐボタンスイッチの防水構造に関するものである。
【背景技術】
【０００２】
近年、ＴＶ受像機、ラジオ受信機、ＣＤプレーヤ等の電子機器が、プールサイド、浴室、雨天時の屋外等水濡れしやすい場所で使用されることが増えている。前記電子機器は、内部へ水が浸入すると、故障の原因となる。
【０００３】
前記電子機器には、前記電子機器の操作するための面押しボタンが備えられている。前記面押しボタンは、一部が前記電子機器の筐体に形成された貫通孔より外部に露出するように配置される。前記面押しボタンの露出部が押されることで、筐体内部に配置されている部分が基板上に配置されたスイッチが押下される。
【０００４】
上述のように、電子機器を水濡れしやすい場所で使用した場合、前記面押しボタンと前記筐体との隙間より水が浸入しやすい。そこで、従来の電子機器では面押しボタンの露出部、すなわち、筐体の外面を防水性を有する部材で覆ってしまったり、前記面押しボタンの内部に防水パッキンを配置したりして、前記面押しボタンと前記筐体との隙間からの水の浸入を抑制している。
【０００５】
従来のパッキンを備えた面押しボタンの詳細について、図面を参照して説明する。図５は従来の電子機器の一例であるＴＶ受像機の面押しボタンが取り付けられている部分の断面図である。図５に示すように、ＴＶ受像機は、筐体９１と、筐体内部に配置された配線基板９２と、面押しボタン９３とを有している。
【０００６】
筐体９１は樹脂で形成された箱体であり、内部には配線基板９２のほかに、図示を省略しているが、映像を表示するための液晶表示装置、電源装置、制御装置等が配置されている。図５に示すように、筐体９１には面押しボタン９３が貫通する貫通孔９１１が形成されている。また、筐体９１の内部側には配線基板９２を保持するための保持部９１２が形成されている。保持部９１２には雌ねじ穴９１３が形成されている。
【０００７】
図５に示すように配線基板９２には、押下されることでＯＮ／ＯＦＦが切り替わるスイッチ９２１が実装されている。また、配線基板９２は複数個のねじ孔９２２を備えている。配線基板９２には筐体９１と対向する面と反対側の面と当接し、配線基板９２を保持する基板ホルダ９４が取り付けられている。基板ホルダ９４は配線基板９２を保持するとともに、配線基板９２が変形するのを防ぐ効果も有している。
【０００８】
基板ホルダ９４には、貫通したねじ孔９４１が形成されている。ねじ孔９４１は基板ホルダ９４に配線基板９２が配置されたときに、ねじ孔９２２と重なるように形成された平板上の部材である。基板ホルダ９４に配線基板９２を配置し、ねじＳｃがねじ孔９２２及びねじ孔９４１とを貫通させ、保持部９１２に形成された雌ねじ穴９１３に螺合させることで、配線基板９２は筐体９１に固定される。
【０００９】
面押しボタン９３は、本体部９３１と、防水パッキン９５とを有している。本体部９３１は、先端が貫通孔９１１より突出し筐体９１の外部に露出する柱形状の面押し部９３２と、本体部９３１の根元側と一体接続された平板形状の抜け止め部９３３とを有している。抜け止め部９３３が形成されていることで、抜け止め部９３３と筐体９１とが干渉して、貫通孔９１１から面押しボタン９３が抜けるのを防止している。
【００１０】
防水パッキン９５はエラストマー、シリコンゴムのような水密且つ弾性を有する材料で形成されている。図５に示すように、防水パッキン９５は面押しボタン９３の抜け止め部９３３と接触する平面部９５１と、平面部９５１の抜け止め部９３３と接触する面の外周部より垂直に突出する水密壁９５２と、水密壁９５２が突出しているのと反対側の面の外周部より垂直に突出する押え壁９５３とを有している。水密壁９５２及び押え壁９５３は平面部９５１を一周囲むように形成されるものであり、閉じたリング状に形成されているものである。また、平面部９５１の抜け止め部９３３と接触する面と反対側の面の中央には、スイッチ９２１を押すためのスイッチ押下部９５４が突設されている。
【００１１】
図５に示すように、筐体９１の貫通孔９１１に面押しボタン９３の本体部９３１が面押し部９３２が外部に突出するように挿入されている。そして防水パッキン９５が抜け止め部９３３を覆い水密壁９５２が筐体９１の内面と接触するように配置されている。その防水パッキン９５の背後に配線基板９２が配置され、配線基板９２はねじＳｃにて筐体９１の側壁部９１０に固定されている。
【００１２】
配線基板９２がねじＳｃにて筐体９１の側壁部９１０に固定されることで、防水パッキン９５の押え壁９５３が配線基板９２に押される。これにより、防水パッキン９５の水密壁９５２の先端部が筐体９１の側壁部９１０に押し付けられ、水密壁９５２と側壁部９１０との接触面積及び接触圧力が高くなる。これにより、水密壁９５２の先端と側壁部９１０との隙間から筐体９１の内部へ水が浸入するのを抑制することが可能である。
【００１３】
面押しボタン９３の面押し部９３２が押されると、面押しボタン９３が筐体９１の内部に移動する。このとき、抜け止め部９３３が防水パッキン９５の平面部９５１を押す。防水パッキン９５は弾性変形可能な材料で形成されているので、平面部９５１が伸び、スイッチ押下部９５４がスイッチ９２１を押す。そして、面押し部９３２を押す力が取り除かれると、面押しボタン９３は平面部９５１の弾性的な復元によって元の位置（抜け止め部９５１が筐体９１と当接する位置）に押し戻され、面押し部９３２を筐体９１より突出させた状態に戻すことが可能である。
【００１４】
このような面押しボタンの内部に防水パッキンを取り付けるものとしては、たとえば、実開平７−１５４６号公報に記載のように、防水カバーを、スイッチ本体近傍に密閉するように配設したものが記載されている。
【特許文献１】実開平７−１５４６号公報
【発明の開示】
【発明が解決しようとする課題】
【００１５】
防水パッキン９５は所定の力以上の力で筐体９１に押し付けられることで、水密壁９５２と側壁部９１０との間の接触面積及び接触圧力を大きくして、水密壁９５２と側壁部９１０との間からの水の浸入を防ぐものである。防水パッキン９５は配線基板９２にて押されており、配線基板９２が防水パッキン９５を所定の力以上の力で押すためには、防水パッキン９５からの反力によって反ったり曲がったりするのを抑制しなくてはならない。そのため、配線基板９２も変形しにくい強度を有するものが用いられる必要があり、配線基板９２として採用できる材料が限定されてしまう。また、配線基板９２の変形防止のために配線基板９２は基板ホルダ９４に備えられているが、基板ホルダ９４も防水パッキン９５の反力による力を受けるので所定の厚さを持った板状の部材を用いなくてはならず、形状の自由度が制限される。
【００１６】
また、防水パッキン９５を強く押えるために、配線基板９２が取り付けられた基板ホルダ９４は防水パッキン９５の近傍を複数個のねじで、保持部９１２に締結されている。このねじ止めは電子機器を構成する他の部品（たとえば、メイン基板、液晶表示装置等）を筐体に取り付けるときのねじ止め方向（底面に向かう方向）とは異なる方向であり、組み立ての工程が増える。また、基板ホルダ９４の側壁部９１０へのねじ止めは底部、補強のためのリブ等が邪魔となり、通常の工具では取付がやりにくかったり、取付できなかったりし、電子機器の組み立てに手間と時間が多く必要であり、組み立ての効率が悪い。
【００１７】
また、配線基板９２に防水パッキン９５の押え壁９５３からの反力が作用することで、配線基板９２自体或いは配線基板９２に実装されている電子部品に不要な応力が作用し、動作不良、破損の原因となる場合もある。
【００１８】
また、実開平７−１５４６号公報に記載の発明も同様に、防水カバーをプリント基板で押える形状を有するものであり、上述した従来のスイッチと同様の課題を有している。
【００１９】
さらに、筐体の外面を防水性を有する部材で覆ってしまうものの場合、防水性は高いが、ユーザの操作感がよくなかったり、一度防水性が失われる（防水性を有する部材が敗れてしまう）と、大きな領域を覆う部材を取り替えなくてはならず効率が悪かったりする。
【００２０】
そこで本発明は、ボタンの隙間より筐体内部への水が浸入するのを抑制し、容易に筐体内部に組み付けることができる防水ボタンスイッチを提供することを目的とする。
【００２１】
また本発明は、筐体内部に配置される他の部材に無理な力を作用させることなく、ボタンの隙間より筐体内部に水が浸入するのを抑制することができる防水ボタンスイッチを提供することを目的とする。
【００２２】
さらに本発明は、防水パッキンの反力によって、前記防水パッキンを押し付ける部材の変形や破損するのを抑制することができ、長期にわたってボタンの隙間より筐体内部に水が浸入するのを抑制することができる防水ボタンスイッチを提供することを目的とする。
【課題を解決するための手段】
【００２３】
上記目的を達成するために本発明は、筐体の内側面に形成され、前記筐体の内部より外部に貫通した貫通孔を備えた支持枠部と、少なくとも先端部が筐体の外部に突出し、前記貫通孔に摺動可能に配置された面押しボタンと、前記貫通孔の内部側を覆うように配置された防水パッキンとを有し、前記面押しボタンが内部側に摺動されることで配線基板に実装されたスイッチが押される防水ボタンスイッチであって、前記支持枠部は内部側に前記貫通孔の内部側の周囲を連続して囲む凹溝を有しており、前記防水パッキンが、平面部と、前記平面部の周縁部より突出された枠状の壁体であり前記凹溝に圧入された水密壁を備えていることを特徴とする。
【００２４】
この構成によると、前記防水パッキンが前記水密壁を前記凹溝に圧入することで前記支持枠部に固定される形状を有しているので、前記防水パッキンを配線基板で背面より押して水密を保っていた従来のものに対して、防水パッキンの反力による配線基板に作用する力が小さくなる。
【００２５】
このことによって、従来の防水ボタンスイッチのように、配線基板或いは配線基板を保持する基板ホルダの前記防水パッキンの近傍を、ねじ止めしなくてもよい。これにより、狭い領域でのねじ止めとなる防水パッキンの近傍のねじ止めを省くことができるので、作業効率が高くなる。また、防水パッキンを配線基板で支持枠部に押さえつけなくてもよいので、配線基板への防水パッキンの反力を低減することができ、配線基板として変形しやすいもの等、多種多様な材質のものを広く採用することができる。
【００２６】
上記構成において、前記水密壁は前記凹溝の幅よりも大きな幅を有する壁体であってもよい。
【００２７】
また、上記構成において、前記防水パッキンは前記平面部の前記水密壁の突出と反対側の面の中央より突出した前記スイッチを押すためのスイッチ押下部を有していてもよい。
【００２８】
さらに上記構成において、前記防水パッキンは前記平面部の前記水密壁の突出と反対側の面の辺縁部より突出し、前記配線基板と接触する押え壁を有していてもよい。
【発明の効果】
【００２９】
本発明によると、ボタンの隙間より筐体内部への水が浸入するのを抑制し、容易に筐体内部に組み付けることができる防水ボタンスイッチを提供することができる。
【００３０】
また本発明によると、筐体内部に配置される他の部材に無理な力を作用させることなく、ボタンの隙間より筐体内部に水が浸入するのを抑制することができる。
【００３１】
さらに本発明によると、防水パッキンの反力によって、前記防水パッキンを押し付ける部材の変形や破損するのを抑制することができ、長期にわたってボタンの隙間より筐体内部に水が浸入するのを抑制することができる。
【発明を実施するための最良の形態】
【００３２】
以下に、本発明の実施の形態について図面を参照して説明する。
【００３３】
図１は本発明にかかる電子機器の一例であるＴＶ受像機の斜視図であり、図２は図１に示す電子機器の側面図であり、図３は本発明にかかる電子機器を図２に示すＸ−Ｘ線で切断したときの拡大断面図である。図１に示すように、ＴＶ受像機Ａは、筐体１と、液晶表示装置２と、複数個の面押しボタン３とを有している。なお、以下の説明では、１個の面押しボタンについて詳細に説明しているが、すべての面押しボタンが同じ構成又は略同じ構成を有していることは言うまでもない。
【００３４】
筐体１は、樹脂の一体成型品である正面部材１１と、樹脂の一体成型品である背面部材１２とを有しており、正面部材１１と背面部材１２とを組み合わせた箱形状を有している。正面部材１１と背面部材１２との接合部には、防水パッキン（不図示）が配置されており、正面部材１１と背面部材１２と隙間から筐体１の内部に水が浸入するのを抑制している。防水パッキンは正面部材１１と背面部材１２とで挟まれて変形することで、正面部材１１及び背面部材１２との接触面積が増えるとともに、接触圧力が大きくなり、防水性が実現されている。防水パッキンは水密で弾性変形可能な材料で形成されていることが好ましく、エラストマー、シリコンゴム等の弾性を有する樹脂材料で形成されるものを挙げることができる。
【００３５】
正面部材１１には窓部１１１が形成されており、窓部１１１は透明なカバー部材で覆われて窓部１１１より水が浸入するのが抑制される。窓部１１１より液晶表示装置２の画像表示部を観賞することができるように、液晶表示装置２が筐体１の内部に配置されている。
【００３６】
図１、図２に示すように、ＴＶ受像機Ａは側面に８個の面押しボタン３を備えている。面押しボタン３は外部より押されることで、ＴＶ受像機Ａを操作するものである。操作として、たとえば、放送チャンネルの切り替え、音量の調整、入力の切り替え、電源ＯＮ／ＯＦＦの切り替え等を挙げることができる。
【００３７】
背面部材１２は正面側が開口された箱状に形成されているものである。なお、背面部材１２では、筐体１を組み立てたときに背面側に位置する平板部を底部１２０とする。また、底部１２０の周囲を側部とする。背面部材１２は支持枠部１２１、貫通孔１２２、抜け止め穴１２３、凹溝１２４、雌ねじ部１２５及び係合ボス１２６を有している。支持枠部１２１は背面部材１２の側面側の壁体より内側に突出した部材である。貫通孔１２２は支持枠部１２１の内側端面より背面部材１２の外部に向けて貫通された円柱形状の貫通孔である。抜け止め部１２３は貫通孔１２２の内側端部と連結するものであり、貫通孔１２２と同一中心軸を有する円柱状の凹穴である。凹溝１２４は抜け止め部１２３の周囲を一周取り囲むように形成された円環状の凹溝である。
【００３８】
また、雌ねじ部１２５は背面部材１２の底部１２０より突出した突出部の先端部に雌ねじが形成されたものである。また、係合ボス１２６は支持枠部１２１の底部１２０と反対側に突出した円柱状のボスである。
【００３９】
なお、上述の貫通孔１２２及び抜け止め穴１２３は中心軸に垂直に切断したときの断面形状が円形（円柱状の貫通孔及び凹穴）であるものを例に説明しているが、必ずしも円である必要はなく、挿入される面押しボタン３の形状に合わせた形状を有するものである。また、いずれも同じ断面形状である必要はない。同様に、係合ボス１２６も円柱状に限定されるものではない。
【００４０】
面押しボタン３は支持枠部１２１に支持される柱状構造体である。面押しボタン３は本体部３１、面押し部３２及び抜け止め部３３を有している。本体部３１は背面部材１２の貫通孔１２２の内部に配置される円柱部材である。面押し部３２は本体部３１の先端部に形成された曲面状部である。面押し部３２は筐体１の外部に露出し、ユーザが直接接触する部分である。抜け止め部３３は本体部３１の根元側端部に一体的に接続された円板状の部材であり、中心軸が本体部３１と一致している。
【００４１】
本体部３１は、貫通孔１２２に挿入されたとき、本体部３１が貫通孔１２２の軸方向に摺動できるとともに、径方向にぐらつかない程度に貫通孔１２２の内径よりも小さい外径を有する。また、本体部３１は貫通孔１２２に挿入され、抜け止め部３３と抜け止め穴１２３とが係合されたときに面押し部３２が筐体１の外側に所定の突出量となるように形成されている。抜け止め部３３は抜け止め穴１２３内に遊嵌されるものであり、本体部３１の外径よりも大きく、抜け止め穴１２３の内径よりも小さな外径を有する。
【００４２】
防水パッキン４は支持枠部１２１の内部側の端面に、抜け止め穴１２３を覆うように配置されるものである。防水パッキン４は、平面部４１、水密壁４２、押え壁４３、及びスイッチ押下部４４とを有している。
【００４３】
平面部４１は面押しボタン３の抜け止め部３３と当接する。なお、平面部４１は抜け止め部３３よりも大径の円板形状で形成されている。水密壁４２は平面部４１の抜け止め部３３と当接する面の周縁より一体的に突設されている。水密壁４２は抜け止め部３３の周縁を囲む形状である。押え壁４３は、平面部４１の周縁に、水密壁４２の突設方向と反対方向に突設されている。スイッチ押下部４４は平面部４１の抜け止め部３３と当接するのと反対側の面の中央より突出されている。
【００４４】
図４は防水パッキンの取り付けの概略を示す図である。防水パッキン４はエラストマーやシリコンゴム等の水密で、且つ、弾性を有する樹脂で形成されている。図４に示すように、水密壁４２の厚さは凹溝１２４の幅よりも大きくなるように形成されている。防水パッキン４は水密壁４２を幅の小さな凹溝１２４に圧入することで支持枠部１２１の先端面に取り付けられている。水密壁４２は凹溝１２４に圧入されることで、凹溝１２４の内壁面との接触面積が大きくなるとともに、接触圧力が高くなる。これによって、水密壁４２と凹溝１２４との間隙は水が通過できず、面押しボタン３と貫通孔１２２の間隙より浸入した水は水密壁４２（すなわち、防水パッキン４）でせき止められる。
【００４５】
防水パッキン４の背面には配線基板５が取り付けられている。配線基板５にはスイッチ５１が実装されている。配線基板５には図示を省略しているが、スイッチ５１以外にも電子部品が実装されている。配線基板５は基板ホルダ６に保持されており、基板ホルダ６が背面部材１２に取り付けられている。なお、配線基板５に複数の面押しボタンに対応した位置にスイッチが実装されているものであってもよい。また、各面押しボタンごとに独立した配線基板を備え、それぞれにスイッチが実装されていてもよい。配線基板５と基板ホルダ６との固定は、溶着、圧入、係合爪による係合、ねじによる固定等、従来良く知られている方法にてなされている。
【００４６】
基板ホルダ６は、基板保持部６１、固定部６２、屈曲部６３及び補強リブ６４を備えている。基板保持部６１は配線基板５を保持するものであり、平面視矩形状の平板形状を有している。固定部６２は基板保持部６１の端部と一体的に連結された平板状の部材である。基板保持部６１及び固定部６２は直交するように形成されている。固定部６２は、基板ホルダ６が背面部材１２に配置されたとき、背面部材１２の底部１２０に形成された雌ねじ部１２５と重なるようにねじ孔６２１が形成されている。ねじＳｃをねじ孔６２１を貫通させるとともに雌ねじ部１２５と螺合させることで基板ホルダ６は固定される。
【００４７】
屈曲部６３は、基板保持部６１の固定部６２が連結されているのと反対側の端部と一体的に連結された平板状の部材である。屈曲部６３は固定部６２とは反対側に突出されている。屈曲部６３は、支持枠部１２１に形成された係合ボス１２６が貫通するボス孔６３１が形成されている。係合ボス１２６がボス孔６３１を貫通するように基板ホルダ６を背面部材１２に取り付けることで、基板ホルダ６はねじ孔６２１と雌ねじ部１２５とが重なるように配置される。この状態で、ねじ止めすることで、基板ホルダ６は基板保持部６１が動かないようにしっかりと固定することが可能である。補強リブ６４は基板保持部６１及び固定部６２の両方に垂直な板状の部材である。補強リブ６４が備えられていることで、基板保持部６１と固定部６２とが接近したり離反したりする、すなわち、基板保持部６１がたわむのを抑制することができる。
【００４８】
ＴＶ受像機Ａの面押しボタン３の組み立ては以下のようにして行われる。まず、背面部材１２の貫通孔１２２に面押しボタン３を挿入する。このとき、面押しボタン３は筐体１の内部側から面押し部３２が筐体１の外側に露出するように挿入される。面押しボタン３の抜け止め部３３が抜け止め穴１２３と係合されると、面押し部３２は筐体１の外側に所定量だけ突出される。この面押し部３２の突出量は、使用者がＴＶ受像機Ａを操作するときに、面押し部３２を容易に押すことができる突出量である。
【００４９】
そして、配線基板５が基板ホルダ６の基板保持部６１に保持される。基板ホルダ６には図示を省略した鉤爪状に形成された係合爪が形成されており、配線基板５は端部を係合爪に係合されて、基板保持部６１に保持されている。
【００５０】
面押しボタン３が背面部材１２に配置された状態で、支持枠部１２１に防水パッキン４を取り付ける。防水パッキン４は平面部４１のスイッチ押下部４４が形成されていない側の面が面押しボタン３の抜け止め部３３と対面するように、支持枠部１２１の内側端面に配置される。水密壁４２が支持枠部１２１の内側端面と対向して形成されており、水密壁４２が凹溝１２４内部に入るように配置される。ここで、水密壁４２の厚さは凹溝１２４の幅よりも大きくなるように形成されており、水密壁４２は凹溝１２４に圧入される。水密壁４２が凹溝１２４に圧入されることで、水密壁４２と凹溝１２４の内壁との接触面積及び接触圧力が大きくなる。これにより、水密壁４２と凹溝１２４との隙間を水が通過するのを抑制することができる。
【００５１】
支持枠部１２１に面押しボタン３及び防水パッキン４が配置された状態で、配線基板５が保持された基板ホルダ６を筐体１の内部側に取り付ける。基板ホルダ６は、屈曲部６３を支持枠部１２１に引っ掛け、支持枠部１２１に形成された係合ボス１２６とボス孔６３１とを係合させる。係合ボス１２６とボス孔６３１とを係合させることで、配線基板５に実装されたスイッチ５１は、防水パッキン４のスイッチ押下部４４と対面する。このとき、防水パッキン４の押え壁４３は配線基板５と当接されている。また、固定部６２が背面部材１２の底部１２０と対面するように配置され、固定部６２に形成されたねじ孔６２１と雌ねじ部１２５とが同軸上に並ぶ。この状態で、ねじＳｃがねじ孔６２１を貫通し雌ねじ部１２５と螺合されることで、基板ホルダ６は背面部材１２に固定される。このようにして、面押しボタン３はＴＶ受像機Ａに組み込まれている。
【００５２】
面押しボタン３の面押し部３２が外部より押圧されると、面押しボタン３は内部に移動される。面押しボタン３が内部に移動されると、抜け止め部３３が防水パッキン４の平面部４１が押されて変形する。平面部４１が変形され、平面部４１に形成されたスイッチ押下部４４が配線基板５に実装されたスイッチ５１を押す。面押し部３２に作用している押圧力を除くと、変形されていた平面部４１が元の形状に戻る。平面部４１が元に戻ることで、スイッチ押下部４５がスイッチ５１が押された状態から元に戻る。そして、抜け止め部３３が平面部４１に押されて、面押し部３２が筐体１の外側に所定量だけ突出した初期状態に戻る。
【００５３】
防水パッキン４が弾性を有しているので面押しボタン３を押し戻すことができる。これにより、面押しボタン３に力が作用していない状態のとき、面押し部３２が筐体１より所定量だけ突出した状態を維持することができる。さらに、防水パッキン４が弾性を有していることで、抜け止め部３３と平面部４１、スイッチ押下部４４とスイッチ５１とが接触するときの接触音を低減することが可能である。
【００５４】
本実施例では、抜け止め部３３と平面部４１、スイッチ押下部４４とスイッチ５１との間に隙間が備えられており、誤作動を防止するように形成されているが、少なくともいずれか一方が常時接触している状態であってもよい。また、両方が接触した状態の場合、誤作動を抑制するためには、各部材の加工精度及び組み立てを高い精度でなされる必要がある。
【００５５】
防水パッキン４は水密壁４２が凹溝１２４に圧入されたことで防水効果を有しており、水密壁４２を支持枠部１２１に押さえつける必要はない。しかしながら、何らかの力が作用することで、防水パッキン４がずれてしまったり、防水パッキン４がぐらついてしまったりするのを防ぐために押え壁４３が配線基板５と当接されている。防水パッキン４のずれやぐらつきを抑制することができる場合、押え壁４３が配線基板５と当接する必要はなく、押え壁４３自体設けなくてもよい。
【００５６】
ＴＶ受像機Ａにおいて、背面部材１２の貫通孔１２２と面押しボタン３の本体部３１の隙間から水が筐体１内部に浸入してきた場合でも、凹溝１２４と水密壁４２との間を水が浸透できないので、水は防水パッキン４よりも筐体１の内部に浸入することができない。これにより、ＴＶ受像機Ａの防水性が担保される。
【００５７】
なお、配線基板５に複数のスイッチ５１が実装されており、各スイッチ５１が図１に示すような複数の面押しボタン３のそれぞれと対応している場合もありえる。その場合、背面部材１２の所定の位置に形成された支持枠部１２１に上述と同様の手順で複数の面押しボタン３及び複数の防水パッキン４を配置した後、配線基板５を保持した基板ホルダ６が上述の方法と同様の方法で取付固定される。
【００５８】
本発明のように、筐体１の内部に形成された凹溝１２４に防水パッキン４の水密壁４２を圧入するものの場合、防水パッキン４を筐体１の内側の面に押さえつけなくてもよい。配線基板５として、従来のものに比べて変形しやすいもの（やわらかいもの）を用いることが可能である。これにより、配線基板５を薄くしたり、製造しやすい材料で形成したりすることが可能であり、製造にかかるコストを低減することが可能である。
【００５９】
また、本実施例の面押しボタン３及び防水パッキン４を用いることで、防水パッキン４から配線基板５への反力が非常に小さい或いは反力が発生しないので、防水パッキン４の近傍を側壁部に複数のねじにてねじ止めする必要がない。これにより、ねじを減らすことができ、構成部材を減らすことができるとともに、作業が困難な側壁部への基板ホルダ６のねじ止めを省略することが可能である。そして、側壁部へのねじ止めの替わりに、基板ホルダ６はメイン基板、液晶表示装置（いずれも不図示）を取り付けるねじと同じ方向のねじ止め（背面部材１２の底部１２０に正面側からのねじ止め）で固定されるので、背面部材１２に配置される他の部材の組立工程と同時に組み付けることができ、それだけ、作業性が高くなる。
【産業上の利用可能性】
【００６０】
本発明は、ＴＶ受像機、ラジオ、ＣＤ再生（／記録）装置、ＤＶＤ再生（／記録）装置等の屋外や浴室、プールサイド等の多湿な場所、水が付着する恐れのある場所で用いられる電子機器に適用することが可能である。
【図面の簡単な説明】
【００６１】
【図１】本発明にかかる電子機器の一例であるＴＶ受像機の斜視図である。
【図２】図１に示す電子機器の側面図である。
【図３】本発明にかかる電子機器を図２に示すＸ−Ｘ線で切断したときの拡大断面図である。
【図４】防水パッキンの取り付けの概略を示す図である。
【図５】従来の電子機器の一例であるＴＶ受像機の面押しボタンが取り付けられている部分の断面図である。
【符号の説明】
【００６２】
Ａ  ＴＶ受像機
１  筐体
１１  正面部材
１１１  窓部
１２  背面部材
１２１  支持枠部
１２２  貫通孔
１２３  抜け止め穴
１２４  凹溝
１２５  雌ねじ穴
１２６  ボス
２  液晶表示装置
３  面押しボタン
３１  本体部
３２  面押し部
３３  抜け止め部
４  防水パッキン
４１  平面部
４２  水密壁
４３  押え壁
４４  スイッチ押下部
５  配線基板
６  基板ホルダ
６１  基板保持部
６２  固定部
６２１  ねじ孔
６３  屈曲部
６３１  ボス孔
６４  補強リブ
【図１】
2009289639.tif 000003
【図２】
2009289639.tif 000004
【図３】
2009289639.tif 000005
【図４】
2009289639.tif 000006
【図５】
2009289639.tif 000007